(57)【要約】【課題】  連続してサッシを配置して形成される大開口の開放感を高めつつ、構造柱の意匠性を生かすことができる開口部構造及び当該開口部構造を有する建物を提供する。【解決手段】開口部構造１は、建物外周の基準線Ｎに沿って立設される構造柱７と、前記構造柱７から屋外側に離れて連続して配置されるサッシ８とを備え、前記サッシ８はサッシ枠８１と当該サッシ枠８１にはめ込まれる透明板８２とを有しており、前記透明板８２は、高さ方向に天井面１３から床面１４までの長さを有する。【選択図】図１
2020197070.tif 000002
【特許請求の範囲】
【請求項１】
建物外周の基準線に沿って立設される構造柱と、前記構造柱から屋外側に離れて連続して配置されるサッシとを備え、
前記サッシはサッシ枠と当該サッシ枠にはめ込まれる透明板とを有しており、
前記透明板は、高さ方向に天井面から床面までの長さを有することを特徴とする開口部構造。
【請求項２】
前記構造柱はあらわし柱であることを特徴とする請求項１に記載の開口部構造。
【請求項３】
前記サッシ枠は上枠、下枠、及び一対の側枠と、を有し、
前記側枠が前記構造柱と屋内外方向に重なることを特徴とする請求項１又は請求項２に記載の開口部構造。
【請求項４】
隣接する前記サッシの互いに突き合わされる２つの前記側枠を組み合わせて方立てを形成しており、前記方立ての幅は、前記構造柱の幅よりも短いことを特徴とする請求項３に記載の開口部構造。
【請求項５】
前記サッシ枠は前記側枠が前記構造柱の上端部から屋外方向に延びる連結材を介して固定されることを特徴とする請求項３又は請求項４に記載の開口部構造。
【請求項６】
前記サッシ枠は前記上枠が前記構造柱の柱頭を固定する構造梁から屋外方向に延びる接続材を介して固定されることを特徴とする請求項１から請求項４のいずれかに記載の開口部構造。
【請求項７】
請求項１から請求項６のいずれかに記載の開口部構造を有する部屋が設けられた建物であって、
前記開口部構造の屋外側に軒構造を備えており、
前記軒構造の軒裏面は前記開口部構造の屋内側の天井面と面一に形成されることを特徴とする建物。
【請求項８】
前記部屋は、２面以上が建物外周に面しており、
前記開口部構造は前記部屋の建物外周に面した２面以上に形成されることを特徴とする請求項７に記載の建物。
【請求項９】
前記部屋は、建物外周に突出して設けられた凸部に形成されており、
前記部屋に隣接した屋外の入隅部にテラス床が設けられるとともに、前記テラス床の上方に前記軒構造から連続し、前記軒裏面と面一なテラス天井が設けられるテラス屋根が形成されることを特徴とする請求項７又は請求項８のいずれかに記載の建物。
【発明の詳細な説明】
【技術分野】
【０００１】
本発明は、居住性又は非居住性の建物の開口部構造、及び当該開口部構造を備えた建物に関し、開口部構造のサッシと構造柱とを分離した開口部構造及び建物に関する。
【背景技術】
【０００２】
従来より、建物開口部に設けられるサッシは、当該開口部の両側に立設された構造柱に左右両側が固定され、上下を木などの羽柄材へと固定している。従来のサッシは、屋外側に半分程度はみ出る半外納まりとなっている（特許文献１参照）。
【先行技術文献】
【特許文献】
【０００３】
【特許文献１】特開２００５−３０７４４３号公報
【発明の概要】
【発明が解決しようとする課題】
【０００４】
しかし、上述の半外収まりのサッシの固定には、構造柱が必要であるので、サッシを連続させて大開口を計画する場合であっても、サッシの間には必ず構造柱が配置されることとなり、サッシの間が区切られた印象となり、大開口の開放感を生かしきれない。また、サッシの間に配置された柱の屋外側には外壁化粧材を配置することとなり、屋内側には石こうボード及び壁紙を配置することとなるので、柱自体を意匠として生かすことができない。
【０００５】
そこで、本発明は、連続してサッシを配置して形成される大開口の開放感を高めつつ、構造柱の意匠性を生かすことができる開口部構造及び当該開口部構造を有する建物を提供することを目的とする。
【課題を解決するための手段】
【０００６】
本発明の開口部構造は、建物外周の基準線に沿って立設される構造柱と、前記構造柱から屋外側に離れて連続して配置されるサッシとを備え、前記サッシはサッシ枠と当該サッシ枠にはめ込まれる透明板とを有しており、前記透明板は、高さ方向に天井面から床面までの長さを有することを特徴としている。
【０００７】
本発明の開口部構造は、前記構造柱はあらわし柱であることを特徴としている。
【０００８】
本発明の開口部構造は、前記サッシ枠は上枠、下枠、及び一対の側枠と、を有し、前記側枠が前記構造柱と屋内外方向に重なることを特徴としている。
【０００９】
本発明の開口部構造は、隣接する前記サッシの互いに突き合わされる２つの前記側枠を組み合わせて方立てを形成しており、前記方立ての幅は、前記構造柱の幅よりも短いことを特徴としている。
【００１０】
本発明の開口部構造は、前記サッシ枠は前記側枠が前記構造柱の上端部から屋外方向に延びる連結材を介して固定されることを特徴としている。
【００１１】
本発明の開口部構造は、前記サッシ枠は前記上枠が前記構造柱の柱頭を固定する構造梁から屋外方向に延びる接続材を介して固定されることを特徴としている。
【００１２】
本発明の建物は、上記いずれかに記載の開口部構造を有する部屋が設けられた建物であって、前記開口部構造の屋外側に軒構造を備えており、前記軒構造の軒裏面は前記開口部構造の屋内側の天井面と面一に形成されることを特徴としている。
【００１３】
本発明の建物は、前記部屋は、２面以上が建物外周に面しており、前記開口部構造は前記部屋の建物外周に面した２面以上に形成されることを特徴としている。
【００１４】
本発明の建物は、前記部屋は、建物外周に突出して設けられた凸部に形成されており、前記部屋に隣接した屋外の入隅部にテラス床が設けられるとともに、前記テラス床の上方に前記軒構造から連続し、前記軒裏面と面一なテラス天井が設けられるテラス屋根が形成されることを特徴としている。
【発明の効果】
【００１５】
本発明の開口部構造によると、連続して配置されるサッシが建物外周の基準線に沿って立設置される構造柱から屋外側に離れて設けられているので、サッシを構造柱の位置に左右されること無く配置することができる。また、サッシの左右両側に構造柱が配置されないことで、隣り合うサッシ同士を接近させることができるとともに、サッシの透明板が天井面から床面までの長さを有していることで、開口部構造をより開放感のあるものとすることができる。
【００１６】
本発明の開口部構造によると、構造柱はあらわし柱であるので、その周囲に化粧材を設ける必要がなく、構造柱を意匠として生かすことができる。
【００１７】
本発明の開口部構造によると、サッシ枠の側枠が構造柱と屋内外方向に重なっているので、屋内から見ると、構造柱に隠れてサッシ枠の側枠が視認されず、大きな一枚の透明板のように認識されるので、より開放感のある開口部構造とすることができる。
【００１８】
本発明の開口部構造によると、隣接するサッシの互いの側枠を組み合わせて形成された方立ての幅が、構造柱の幅よりも短いので、屋内から見ると構造柱に隠れて方立てを視認することができず、より確実に大きな一枚の透明板のように認識されより開放感のある開口部構造とすることができる。
【００１９】
本発明の開口部構造によると、サッシ枠は側枠が構造柱の上端部から屋外方向に延びる連結材を介して固定されているので、連続するサッシ枠の間に構造柱を配置することなしに、サッシ枠を支持することができる。このような構成とすることで、天井裏の空間が十分ではなく、構造梁からサッシ枠を支えるための接続材を延ばすことができない場合にも、サッシ枠を確実に支持することができる。
【００２０】
本発明の開口部構造によると、サッシ枠は上枠が構造梁から屋外方向に延びる接続材を介して固定されるので、天井裏の空間に接続材を隠すことができるとともに、構造柱をサッシ枠とは無関係に配置することができる。
【００２１】
本発明の建物によると、開口部構造の屋外側に設けられる軒構造の軒裏面が開口部構造の屋内側の天井面と面一に形成されているので、屋内側から見て屋内及び屋外を連続して空間として認識することができる。
【００２２】
本発明の建物によると、部屋は、２面以上が建物外周に面しており、開口部構造は部屋の建物外周に面した２面以上に形成されるので、屋内側の部屋をより開放感のある空間とすることができる。
【００２３】
本発明の建物によると、部屋は、建物外周に突出して設けられた凸部に形成されており、部屋に隣接した屋外の入隅部にテラス床が設けられるとともに、テラス床の上方に軒構造から連続し、軒裏面と面一なテラス天井が設けられるテラス屋根が形成されるので、屋内の天井面、軒裏面、及びテラス天井が連続した天井と認識されることで、屋内外の連続性がより強調され、屋内側の部屋をより開放感のある空間とすることができる。
【図面の簡単な説明】
【００２４】
【図１】建物の外観構成を示す斜視図。
【図２】建物一階の間取り構成を示す水平断面図。
【図３】開口部構造を有する部屋及びテラス床の構成を説明する図２の一部拡大図。
【図４】構造柱及び方立ての構成を示す一部拡大図。
【図５】部屋の外周角部に配置される連結材、構造柱、及び方立ての構成を示す一部拡大図。
【図６】開口部構造の全体構成を示す鉛直断面図。
【図７】構造柱の柱頭及び連結材の構成を示す一部拡大図。
【図８】構造柱の柱脚、及び基礎に固定されるサッシ枠の下枠の構成を示す一部拡大図。
【図９】透明板が単板ガラスである場合の開口部構造及び建物を示す一部拡大水平断面図。
【図１０】透明板が単板ガラスである場合の構造柱及び方立ての構成を示す一部拡大図。
【図１１】透明板が単板ガラスである場合の部屋の外周角部に配置される構造柱、及び透明板の突合せ部分を示す一部拡大図。
【図１２】別の実施例として構造梁から屋外側に延びる接続材によってサッシ枠の上枠を固定した状態を説明する図。
【発明を実施するための形態】
【００２５】
以下、本発明の開口部構造１及び建物２の実施形態について各図を参照しつつ説明する。本実施形態における建物２は、例えば講堂などのように多数の人が集まる非居住性の建物である。建物２は、図１及び図２に示すように、切り妻の二階建ての母屋構造３と、母屋構造３の妻側の一方の外壁から突出する片流れの下屋構造４と、母屋構造３の軒側の一方の外壁から突出する陸屋根部５と、を備える。
【００２６】
母屋構造３は、図２に示すように、桁方向の中央に上部が吹き抜けとなる柱のない大空間３５が設けられ、その両側に階段室３６、及び、大空間３５を見下ろす２階ホール３７が形成されている。陸屋根部５は、母屋構造３の軒側の一方の外壁面からフラットルーフ６が突出して形成されており、当該フラットルーフ６の下側には、一階屋内の部屋５１及び屋外の庭テラス５２が隣接して形成されている。また、下屋構造４は建物２に出入りするエントランス空間４１及びトイレ４２等が設けられている。なお、建物２は非居住性の建物に限定されるものではなく、戸建住宅や集合住宅であっても良い。
【００２７】
開口部構造１は、建物２の部屋５１に形成されている。部屋５１は、図２に示すように、建物２外周から突出した凸部に形成されており、建物２外周に面する３面に開口部構造１が形成されている。なお、本発明における建物２の部屋５１は３面に開口部構造１が形成されるものに限定されるものではなく、２面に開口部構造１が形成されるものであってもよい。
【００２８】
開口部構造１は、図３に示すように、建物２外周の基準線Ｎに沿って立設される複数の構造柱７と、構造柱７から屋外側に離れて配置されるサッシ８とを備えている。構造柱７は、例えば各辺が１２０ｍｍの断面正方形の四角柱状の角材である。構造柱７は、その柱脚が基礎１２に固定された柱脚金物９に固定され、柱頭が建物２外周に沿って架設されている構造梁１０に柱頭金物１１を介して固定されている。
【００２９】
構造柱７は、その柱芯が建物２の構造躯体を配置する基準線ＮとなるＮ芯に位置するように立設されている。建物２外周の基礎１２は、Ｎ芯から屋内側に８０ｍｍで、屋外側に８０ｍｍあれば構造柱７の柱脚を固定することができるが、さらに屋外側に１５５ｍｍ付加されている。これは後述するサッシ枠８１を固定するためである。また、構造梁１０は梁せいが１５０ｍｍで、屋内外方向の厚さが１２０ｍｍの角材であり、構造柱７の柱頭に架設されている。構造柱７は本実施形態においては外周に化粧材が設けられないあらわし柱となっている。
【００３０】
サッシ８は、図３及び図４に示すように、サッシ枠８１と当該サッシ枠８１にはめ込まれる透明板８２とを有している。透明板８２は、本実施形態においては、２枚の板ガラスの間に乾燥空気を封入した中空層を形成する矩形の複層ガラス板である。なお透明板８２は、後述するように単板の板ガラスであってもよく、３枚以上の板ガラスで構成した複層ガラス板であってもよい。透明板８２の外周にはサッシ枠８１が設けられている。サッシ枠８１は、上枠８１ａ、下枠８１ｂ、及び一対の側枠８１ｃとを有している。本実施形態におけるサッシ８は嵌め殺しであるが、これに限定されるものではなく、例えば引き違いのサッシ８であってもよい。
【００３１】
上枠８１ａは、図７に示すように、少なくとも一部が天井面１３よりも高く配置されており、下枠８１ｂは、図８に示すように、その上面が床面１４と同じ高さとなるように配置されている。上枠８１ａには構造梁１０から屋外側に延びる防水カバー１５の屋外側の端部が固定されており、軒構造１６の天井裏に入り込んだ外気や雨水が屋内に侵入することを防止している。上枠８１ａの屋内側の面には天井化粧材１７ａの端縁が当接している。また、下枠８１ｂは、図８に示すように、基礎１２から上方に延びる差し筋１８に溶接されて固定されている。下枠８１ｂと基礎１２との間には、基礎換気や防水のための基礎水切１９が設置されている。上枠８１ａ及び下枠８１ｂは、それぞれ天井面１３及び床面１４にもぐりこむように配置されるので、透明板８２は、高さ方向に天井面１３から床面１４までの長さを有することとなり、開口部構造１を屋内側から見て開放感のある大開口とすることができる。
【００３２】
また、側枠８１ｃは隣接するサッシ８の互いに突き合わされる２つの側枠８１ｃ同士が嵌合して、組み合わされ、方立て８３が形成されている。方立て８３は水平断面の外周形状が矩形となる四角柱状であり、屋内外方向に１００ｍｍで、建物２外周に沿う方向である幅方向が６０ｍｍに形成されている。前述の構造柱７は建物２外周に沿う方向である幅方向が１２０ｍｍに形成されている。構造柱７は側枠８１ｃが組み合わされた方立て８３の屋内側に重なるように配置されており、屋内側から見ると方立て８３は構造柱７に隠されて視認できない。なお、本実施形態の開口部構造１は、部屋５１の３面に亘って形成されている。そして部屋５１の外周角部にもサッシ８の側枠８１ｃ同士が嵌合して形成される方立て８３が設けられている。このように構造柱７に隠されて側枠８１ｃを組み合わせて形成した方立て８３が屋内から視認することができないことで、透明板８２が大きな一枚の透明板のように認識される。さらに、サッシ枠８１の上枠８１ａ及び下枠８１ｂも天井面１３及び床面１４によって隠されているので、屋外との境界が認識されにくくなり、屋内の部屋５１をより開放感がある空間とすることができる。
【００３３】
図４及び図７に示すようにサッシ枠８１の側枠８１ｃを組み合わせて形成された方立て８３には構造柱７の上端から屋外方向に延びる連結材２０が固定されている。連結材２０は、方立て８３に固定される上方から見てコ字状の第一部材と、構造柱７の上端屋外側面に固定される上方から見てコ字状の第二部材と、をビスで固定して形成される。このようにサッシ８は、下枠８１ｂが差し筋１８を介して基礎１２に固定されており、側枠８１ｃを組み合わせた方立て８３の上端部が連結材２０を介して構造柱７の上端に固定されているので、サッシ８を構造柱７で挟むことなく、建物２の構造躯体に固定することができる。なお、部屋５１の外周角部に形成されている構造柱７には、角部用の連結材２０が固定されて、外周角部に配置された方立て８３の上端部を固定している。
【００３４】
なお、本実施形態においては、連結材２０が構造柱７の上端屋外側面とサッシ枠８１の側枠８１ｃを組み合わせて形成された方立て８３とを連結することでサッシ枠８１の上部を固定しているが、本発明の実施形態はこれに限定されるものではない。例えば、軒構造１６が勾配を有する場合のように天井裏に余裕がある場合には、図１２に示すように構造梁１０の屋外側面から屋外方向に延びる接続材２１がサッシ枠８１の上枠８１ａを固定する構成であってもよい。このような構成によると、接続材２１が天井裏に隠させることになるので、開口部構造１をよりすっきりした印象とすることができる。
【００３５】
図７に示すように、構造梁１０には屋外側に向かって鋼製の腕木２２が延びている。そして腕木２２には木製の垂木２３が固定されており、この垂木２３が開口部構造１の上側から屋外側に向かって延びる軒構造１６を支持している。垂木２３には、図示しない吊り金具などを介して窯業系サイディング製の耐火下地面材２６が固定され、さらにその下に胴縁２８を介して天井化粧材１７ｂが固定されて、軒裏面２９を形成している。天井化粧材１７ｂは木製平板状である。
【００３６】
また、屋内側の天井にも石こうボードの耐火下地面材２７が固定され、さらにその下に胴縁２８を介して天井化粧材１７ａが固定され、天井面１３を形成している。軒裏面２９の天井化粧材１７ｂと天井面１３の天井化粧材１７ａは、同一の材質で同一形状に形成されている。また、天井面１３と軒裏面２９は略面一に配置されている。具体的には本実施形態においては、軒裏面２９の方が例えば１０ｍｍ程度低く形成されているが、屋内側から見上げたときに天井面１３及び軒裏面２９の僅かな段差は認識することができない程度であり、面一であると理解される。このように天井面１３及び軒裏面２９が同一の天井化粧材１７ａ，１７ｂで形成され、且つ、略面一であることで、屋内外の境界が認識され難くなって、屋内の部屋から屋外側を見たときにより開放感を感じることができる。また、天井化粧材１７ａ，１７ｂの上に耐火下地面材２６，２７が設けられているので、天井化粧材１７ａ，１７ｂは耐火性を有する必要がなく、屋内及び屋外に同一の天井化粧材１７ａ，１７ｂを採用することが容易となる。
【００３７】
なお、本実施形態においてはサッシ８は、複層ガラス板の透明板８２で形成されていたが、透明板８２はこれに限定されるものではなく、図９及び図１０に示すように、単板の板ガラスであっても良い。このように透明板８２が単板の板ガラスで形成されたとしても、図１０に示すように、透明板８２がサッシ枠８１にはめ込まれてサッシ８を形成することができる。そして、単板の透明板８２を有するサッシ８も隣接するサッシ８の互いに突き合わされる２つの側枠８１ｃ同士が嵌合して、組み合わされ、方立て８３が形成される。このような単板の透明板８２のサッシ８は、複層ガラスの透明板８２のように間に乾燥空気を密封する必要がないので、外周全てをサッシ枠８１で覆う必要がない。したがって、図１１に示すように、部屋５１の外周角部に側枠８１ｃを配置する必要がなく、透明板８２同士をそのままパッキン３０を介して突き合わせることができる。そして、外周角部に側枠８１ｃを組み合わせた方立て８３が形成されないことで、屋内側からの視界を方立て８３が遮ることが無く、より開放感のある開口部構造１とすることができる。
【００３８】
建物２外周の凸部に形成された部屋５１に隣接した屋外の入隅部には、図２及び図３に示すように庭テラス５２が設けられている。庭テラス５２のテラス床３１は、人工木材のウッドデッキ仕上げで形成されている。なお、テラス床はこれに限られず、例えばコンクリートを打設してその表面に化粧タイルを配置したものであってもよい。形成されている。テラス床３１と屋内の部屋５１との境界は開口部構造１によって透明に形成されているとともに、部屋５１の床面１４とテラス床３１の上面とは略面一であることが好ましい。また、テラス床３１の上方には軒構造１６から連続し、軒裏面２９と面一なテラス天井３２が設けられるテラス屋根３３が形成されている。なお、図２及び図３は、１階部分の断面図であるのでテラス天井３２及びテラス屋根３３が示されないが、説明の都合上、テラス天井３２及びテラス屋根３３を一点鎖線で示している。テラス屋根３３は２本の独立柱３４に支持されている。部屋５１の床面１４とテラス床３１の上面が面一であり、部屋５１の天井面１３、軒裏面２９、及びテラス天井３２が面一であることによって、屋内の部屋５１と屋外のテラス空間との境界が視認されにくくなるので、部屋５１の開放感をより高めることができる。
【００３９】
本発明の実施の形態は上述の形態に限ることなく、本発明の思想の範囲を逸脱しない範囲で適宜変更することができることは云うまでもない。
【産業上の利用可能性】
【００４０】
本発明に係る開口部構造１及び建物２は、例えば非居住性の建物として好適である。
【符号の説明】
【００４１】
１      開口部構造
２      建物
７      構造柱
８      サッシ
１０    構造梁
１３    天井面
１４    床面
１７ａ  天井化粧材
１７ｂ  天井化粧材
２０    連結材
２１    接続材
２９    軒裏面
３２    テラス天井
【図１】
2020197070.tif 000003
【図２】
2020197070.tif 000004
【図３】
2020197070.tif 000005
【図４】
2020197070.tif 000006
【図５】
2020197070.tif 000007
【図６】
2020197070.tif 000008
【図７】
2020197070.tif 000009
【図８】
2020197070.tif 000010
【図９】
2020197070.tif 000011
【図１０】
2020197070.tif 000012
【図１１】
2020197070.tif 000013
【図１２】
2020197070.tif 000014